【手続補正書】
【提出日】平成29年2月24日(2017.2.24)
【手続補正１】
【補正対象書類名】特許請求の範囲
【補正対象項目名】全文
【補正方法】変更
【補正の内容】
【特許請求の範囲】
【請求項１】
符号化ビデオフレームの低減されたストリームを送信する方法であって、
符号化ビデオフレームの元のストリームを解析するステップと、
符号化ビデオフレームの前記低減されたストリーム内の前記符号化ビデオフレームを再符号化せずに、残りの符号化ビデオフレームを用いて、符号化ビデオフレームの前記低減されたストリームを生成するために、符号化ビデオフレームの前記元のストリームから複数の前記符号化ビデオフレームを除去するステップであって、前記除去された複数の符号化ビデオフレームが複数のPフレームを含む、除去するステップと、
前記残りの符号化ビデオフレームと、前記除去された複数の符号化ビデオフレームを識別するためのメタデータとを送信するステップと
を含む、方法。
【請求項２】
符号化ビデオフレームの前記元のストリームについての要求をユーザデバイスから受信するステップ
をさらに含む、請求項1に記載の方法。
【請求項３】
前記解析するステップが、
符号化ビデオフレームの前記元のストリームのヘッダを解析して、ビデオフレームのタイプを識別するステップ
を含む、請求項1に記載の方法。
【請求項４】
前記ビデオフレームの前記タイプが、前記ビデオフレームのサイズまたは前記ビデオフレームのヘッダ内の識別子によって識別される、請求項3に記載の方法。
【請求項５】
符号化ビデオフレームの前記元のストリームから除去する前記符号化ビデオフレームの数を判断するステップ
をさらに含む、請求項1に記載の方法。
【請求項６】
符号化ビデオフレームの前記元のストリームが、キーフレームと複数の中間フレームとを含むフレームの少なくとも1つのシーケンスを含む、請求項1に記載の方法。
【請求項７】
前記除去するステップが、2個のキーフレーム間の前記複数の中間フレームを除去するステップを含む、請求項6に記載の方法。
【請求項８】
前記メタデータが、符号化ビデオフレームの前記元のストリームが編集されていることを示すフラグ、符号化ビデオフレームの前記低減されたストリーム内の前記符号化ビデオフレームの識別子、前記除去された複数の符号化ビデオフレームの数、または前記除去された複数の符号化ビデオフレームの識別子のうちの1つもしくは複数を含む、請求項1に記載の方法。
【請求項９】
符号化ビデオフレームの低減されたストリームから符号化ビデオフレームの元のストリームの新しいバージョンを作成する方法であって、
符号化ビデオフレームの前記低減されたストリームを受信するステップであって、符号化ビデオフレームの前記低減されたストリームが、符号化ビデオフレームの前記低減されたストリーム内の前記符号化ビデオフレームを再符号化せずに、符号化ビデオフレームの前記元のストリームから複数の前記符号化ビデオフレームを除去することによって作成され、前記除去された複数の符号化ビデオフレームが複数のPフレームを含み、符号化ビデオフレームの前記低減されたストリームに関するメタデータを受信し、前記除去された複数の符号化ビデオフレームを識別する、受信するステップと、
前記受信されたメタデータに基づいて、前記除去された複数の符号化ビデオフレームを識別するステップと、
前記識別されかつ除去された複数の符号化ビデオフレームに基づいて、複数の置換フレームを生成するステップと、
符号化ビデオフレームの前記元のストリームの前記新しいバージョンを作成するために、符号化ビデオフレームの前記低減されたストリームに前記複数の置換フレームを追加するステップと
を含む、方法。
【請求項１０】
前記メタデータが、符号化ビデオフレームの前記低減されたストリームのヘッダ内に含まれる、請求項9に記載の方法。
【請求項１１】
前記識別するステップが、
フレームが、ドロップされたフレームのシーケンスの始端であることを判断するステップと、
前記フレームをドロップされたフレームの前記シーケンスの前記始端として記憶するステップと
を含む、請求項9に記載の方法。
【請求項１２】
前記識別するステップが、
前記フレームが、ドロップされたフレームの前記シーケンスの後の第1のフレームであることを判断するステップと、
前記フレームをドロップされたフレームの前記シーケンスの終端として記憶するステップと
をさらに含む、請求項11に記載の方法。
【請求項１３】
前記生成するステップが、
ドロップされたフレームの前記シーケンスの前記始端として記憶された前記フレームと、ドロップされたフレームの前記シーケンスの前記終端として記憶された前記フレームとに基づいて、ドロップされたフレームの前記シーケンスを再作成するステップ
を含む、請求項12に記載の方法。
【請求項１４】
前記再作成するステップが、
第1のキーフレームを第2のキーフレームにモーフィングして、前記複数の置換フレームを生成するステップを含むか、または、
前記再作成するステップが、
動き追跡を使用して、前記第1のキーフレーム内および前記第2のキーフレーム内のオブジェクトを識別するステップと、
前記追跡されたオブジェクトを前記第1のキーフレーム内のその位置から前記第2のキーフレーム内のその位置に移動させることに基づいて、前記複数の置換フレームを生成するステップと
を含む、請求項13に記載の方法。
【請求項１５】
符号化ビデオフレームの低減されたストリームを送信するための装置であって、
符号化ビデオフレームの元のストリームを解析するための手段と、
符号化ビデオフレームの前記低減されたストリーム内の前記符号化ビデオフレームを再符号化せずに、残りの符号化ビデオフレームを用いて、符号化ビデオフレームの前記低減されたストリームを生成するために、符号化ビデオフレームの前記元のストリームから複数の前記符号化ビデオフレームを除去するための手段であって、前記除去された複数の符号化ビデオフレームが複数のPフレームを含む、除去するための手段と、
前記残りの符号化ビデオフレームと、前記除去された複数の符号化ビデオフレームを識別するためのメタデータとを送信するための手段と
を含む、装置。
【請求項１６】
符号化ビデオフレームの低減されたストリームから符号化ビデオフレームの元のストリームの新しいバージョンを作成するための装置であって、
メタデータおよび符号化ビデオフレームの前記低減されたストリームを受信するための手段であって、符号化ビデオフレームの前記低減されたストリームが、符号化ビデオフレームの前記低減されたストリーム内の前記符号化ビデオフレームを再符号化せずに、符号化ビデオフレームの前記元のストリームから複数の前記符号化ビデオフレームを除去することによって作成され、前記除去された複数の符号化ビデオフレームが複数のPフレームを含み、前記メタデータが、符号化ビデオフレームの前記低減されたストリームに関し、前記メタデータが、前記除去された複数の符号化ビデオフレームを識別する、受信するための手段と、
前記受信されたメタデータに基づいて、前記除去された複数の符号化ビデオフレームを識別するための手段と、
前記識別されかつ除去された複数の符号化ビデオフレームに基づいて、複数の置換フレームを生成するための手段と、
符号化ビデオフレームの前記元のストリームの前記新しいバージョンを作成するために、符号化ビデオフレームの前記低減されたストリームに前記複数の置換フレームを追加するための手段と
を含む、装置。
【請求項１７】
符号化ビデオフレームの低減されたストリームを送信するための非一時的コンピュータ可読記録媒体であって、実行されたとき、請求項1〜8のいずれか一項に記載の方法を実施する少なくとも1つの命令を含む、非一時的コンピュータ可読記録媒体。